(57)【要約】【課題】施工を簡便にして施工費を低減する。【解決手段】屋内外に連通すると共に、送風機３を装備した通風経路１中に、地中に縦長に埋設した伝熱カプセル５と、該伝熱カプセル５内の下方で連通する様に遊挿した排気管６とから成る熱交換器２を配設し、外気を伝熱カプセル５内に通して地熱と熱交換させ、その熱交換された空気を排気管６から屋内へ送り込む空調装置を提供する。【選択図】        図１
2004340463.tif 000002
【特許請求の範囲】
【請求項１】
屋内外に連通すると共に、送風機を装備した通風経路中に、地中に縦長に埋設した伝熱カプセルと、該伝熱カプセル内の下方で連通する様に遊挿した排気管とから成る熱交換器を配設したことを特徴とする地熱を利用した空調装置。
【請求項２】
排気管の外周面の螺旋軌道上に、風向制御フィンを伝熱カプセルの内周面に当接する様に突設したことを特徴とする請求項１記載の地熱を利用した空調装置。
【発明の詳細な説明】
【０００１】
【発明の属する技術分野】
本発明は、地熱を利用した空調装置に関する。
【０００２】
【従来の技術】
従来、地中温度が地表の温度変化に影響されず、年間を通して安定した温度が保たれることを利用して、地中に埋設した通気管に外気を通して地熱と熱交換させて屋内に送り込み、夏期においては、外気温より程よく冷やかにして、冬期においては、外気温より温かくした屋内冷暖房を目的とする空調システムが提供されている。
【０００３】
研究開発段階や出願段階で先行技術調査を行っておらず、記載すべき先行技術文献を知りません。
【０００４】
【発明が解決しようとする課題】
しかしながら、この上記の様な空調システムでは、地面を深く堀ってそこへ通気管を匍匐状に配置して土を埋め戻すため、その通気管の埋設工事に手間、時間を要し、コストが嵩むという不具合を有していた。
又、通気管を埋設するには広い面積が必要であるため、新築の様に建物基礎下部を埋設箇所として利用できる場合を除き、例えば既設の建物では敷地に通気管を埋設するに十分な余裕がなければならなかった。
【０００５】
【課題を解決するための手段】
本発明は、上記課題に鑑み、屋内外に連通すると共に、送風機を装備した通風経路中に、地中に縦長に埋設した伝熱カプセルと、該伝熱カプセル内の下方で連通する様に遊挿した排気管とから成る熱交換器を配設し、外気を伝熱カプセル内に通して地熱と熱交換させ、その熱交換された空気を排気管から屋内へ送り込む空調装置を提供することにより、十分な敷地を要せず、しかも従来に比し簡便に熱交換器を地中に埋設できる様にして上記課題を解決する。
【０００６】
【発明の実施の形態】
以下本発明の一実施例を図面に基づいて説明する。
図１は地熱を利用した空調装置の一設置例を示す簡略図であり、この空調装置は、屋内外に連通する通風経路１と、該通風経路１中に配置した熱交換器２とから主に構成されている。
通風経路１は、建物Ｂの床下に設置した屋外連通路１ａと屋内の各室に連通した屋内連通路１ｂとから成り、該屋内連通路１ｂ中において、熱交換器２の近傍には、送風機３を装備すると共に、各室の送風口１ｃには図示しないダンパーを取付け、又屋外連通路１ａ中の外気導入口近傍にはフィルタ装置４を装備している。
尚、図１に示す建物Ｂには、床下から外気を建物Ｂの外壁内に自然通気させる通気路Ｄを設けているが、この通気路Ｄは必ずしも設ける必要はない。
熱交換器２は、屋外連通路１ａに連結すると共に、地中に縦長に埋設した伝熱カプセル５と、屋内連通路１ｂに連結すると共に、伝熱カプセル５内の下方で連通する様に遊挿した排気管６とから構成されている。
又、熱交換器２は、既設の場合を除いて建物基礎Ｆ下部に埋設されるのが望ましく、その埋設箇所に伝熱カプセル５の外径に対応した縦穴をアースオーガ等の掘削機により掘削し、上部が地表より突出する様にして伝熱カプセル５を縦穴に装填し、基礎Ｆ上に打設したコンクリートにて伝熱カプセル５上部を固定している。
伝熱カプセル５は、鋼製にして、且つ、内部が空洞な円柱形に形成され、上端開口部周縁に突設したフランジに円板状の蓋体７を接合することにより空洞部を密閉している。
そして、伝熱カプセル５において、基礎Ｆ上より突出した上部側面には、屋外連通路１ａとの連結管部８を伝熱カプセル５の一直径線の片側に偏倚して突設している。
蓋体７の中心には、伝熱カプセル５と同材質にしてこれより小径な排気管６の上端を挿通固定し、該上端をフレキシブル管９を介して屋内連通路１ｂに連結し、フレキシブル管９には断熱材１０を被覆している。
伝熱カプセル５内に存する排気管６の外周面には、連結管部８から導入した外気を下方へ導く様に、適宜な螺旋軌道上に所定間隔を置いて方形板状の風向制御フィン１１を突設しており、該風向制御フィン１１の突端は伝熱カプセル５の内周面に当接させている。
尚、風向制御フィン１１は螺旋状に連続形成しても良い。
フィルタ装置４は、屋外連通路１ａの外気導入口近傍に配設され、不織布、及びセラミックボールとヤシガラ活性炭とを混合したものを内装している。
図１においては、熱交換器２が１つのものを示したが、屋内容積、その他の諸条件に応じ、図４に示す様に、熱交換器２を２つ以上連結する。
この場合、熱交換器２同士は連結管部８と排気管６とをフレキシブル管９を介して連結している。
【０００７】
次に本発明に係る空調装置の作用について説明する。
送風機３の作動により、外気連通路１ａを流入する空気は、フィルタ装置４を通過する際に埃やその他の不純物が除去され、伝熱カプセル５内に流入する。
この流入する空気は、図３の様に伝熱カプセル５に取付けられた連結管部８から流入するため渦流を生じ、更に伝熱カプセル５内には、風向制御フィン１１が螺旋軌道上に配しているため、空気流は旋回しながらゆっくり降下する。
伝熱カプセル５降下中の空気は、伝熱カプセル５と、これに当接している風向制御フィン１１と、該風向制御フィン１１を介して連続している排気管６に接触して地中温度と熱交換される。
又、複数の熱交換器２を連結した場合では、空気が熱交換器２の個数分通過することにより、地中温度とほぼ完全に熱交換される。
この様に熱交換された空気は伝熱カプセル５内の排気管６を通って屋内連通路１ｂを経て各室へ通風される。
尚、熱交換された空気は排気管６を上昇してフレキシブル管９を通過するが、このフレキシブル管９は断熱材１０にて被覆されているため、外気とは熱交換されることなく、屋内連通路１ｂへ導入される。
【０００８】
【発明の効果】
要するに本発明は、屋内外に連通すると共に、送風機３を装備した通風経路１中に、地中に縦長に埋設した伝熱カプセル５と、該伝熱カプセル５内の下方で連通する様に遊挿した排気管６とから成る熱交換器２を配設したので、送風機３の作動により、伝熱カプセル５内に導入された外気が降下する過程で伝熱カプセル５の外壁を介して温度変動の極めて少ない地中と熱交換させられ、この熱交換された空気、即ち夏期では涼しい空気を、冬期では温かい空気を排気管６から屋内へ送風させることができる。
しかも、熱交換器２は上記構成より成るため、地面に掘削した縦穴に伝熱カプセル５を装填するだけ、容易に地中の奥深くに埋め込むことができる。
従って、本発明によれば、従来に比しその施工費を飛躍的に低減できると共に、従来の様に十分敷地がなくても、熱交換器２を埋設できる。
【０００９】
排気管６の外周面の螺旋軌道上に、風向制御フィン１１を伝熱カプセル５の内周面に当接する様に突設したので、伝熱カプセル５内に流入した空気を旋回させながらゆっくり降下させられると共に、風向制御フィン１１が伝熱カプセル５と当接していることで、地熱が伝熱カプセル５のみならず、風向制御フィン１１と排気管６とに伝導して、伝熱面積を増大させられ、伝熱カプセル５内を旋回降下する空気を効率良く地熱と熱交換させることができる。
更に、風向制御フィン１１は、排気管６の外周面に突設しているため、伝熱カプセル５の内周面に設ける場合に比しその取付けが容易であり、又伝熱カプセル５内に排気管６を挿入するだけで伝熱カプセル５内における位置決めが容易に成されると共に、伝熱カプセル５を内側から支持して、その強度を向上させられる等その実用的効果甚だ大である。
【図面の簡単な説明】
【図１】空調装置の設置例を示す簡略図である。
【図２】熱交換器と排気管の斜視図である。
【図３】熱交換器を平面方向から見た断面図である。
【図４】複数の熱交換器の連結状態を示す断面図である。
【符号の説明】
１  通風経路
２  熱交換器
３  送風機
５  伝熱カプセル
６  排気管
１１  風向制御フィン
【図１】
2004340463.tif 000003
【図２】
2004340463.tif 000004
【図３】
2004340463.tif 000005
【図４】
2004340463.tif 000006